(57)【要約】【解決手段】レセプタクルコネクタの前方に実装されたコネクタガイドは、嵌合コネクタが回路基板上のコネクタに挿入されると、回路基板に実装されたコネクタと係合するラッチを備える。ガイドは、プラグコネクタから離間し、接触面と整合しレセプタクルコネクタの歪（ひず）みを軽減するようにする。【選択図】図１
0003142283.tif 000002
【実用新案登録請求の範囲】
【請求項１】
回路基板実装コネクタにプラグコネクタを導くガイドであって、
第１及び第２の平らな側面であって、各平らな側面は頂縁部及び底縁部、並びに、前縁部及び後縁部を備え、前記平らな平面の各々は頂縁部及び底縁部間に第１の高さを備え、前縁部及び後縁部間に第１の幅を備え、前記第１及び第２の垂直の側面は、第１の離間距離によって互いから離間される第１及び第２の平らな側面と、
第１及び第２の側端部、並びに、前縁部及び後縁部を備える平らな頂部であって、該頂部の第１側端面が前記第１の平らな側面の上縁と結合され、頂部の第２側端面が前記第２の平らな側面の上縁と結合される平らな頂部と、
プラグコネクタキャッチであって、前記ガイドに挿入されたプラグコネクタと接触するために前記頂部の後縁部から離間するように延出するプラグコネクタキャッチとを含むガイド。
【請求項２】
前記キャッチは少なくとも１つのスプリングアームの遠位縁に取付けられ、前記キャッチが前記頂部の後縁部から離間して配設され、前記頂部より下の平面に延在するような角度で前記少なくとも１つのスプリングアームが頂部から下方に向けて延在し、前記１つのスプリングアームは、前記キャッチを付勢して前記ガイド内のプラグコネクタの対応する止金と係合させる、請求項１に記載のガイド。
【請求項３】
前記第１の平らな側面に形成され、前記第２の平らな側面に向けて延在する少なくとも１つの側面ロッキングラッチを含み、プラグコネクタが前記ガイドに挿入されると、前記１つの側面ロッキングラッチが対応するプラグコネクタの側面止金と係合する、請求項１に記載のガイド。
【請求項４】
前記第２の平らな側面に形成され、前記第１の平らな側面に向けて延在する第２の側面ロッキングラッチを含み、プラグコネクタが前記ガイドに挿入されると、前記側面ロッキングラッチが対応するプラグコネクタの側面止金と係合する、請求項３に記載のガイド。
【請求項５】
前記第１及び第２の平らな側面は、それぞれ、前記第１及び第２の平らな側面を前記ガイドの内方に打抜くことによって形成されるタブと係合する第１及び第２のプラグコネクタを含み、プラグコネクタが前記ガイドに挿入されると、第１及び第２のコネクタと係合するタブが前記プラグコネクタの対向する側面の対応する止金と接触する、請求項１に記載のガイド。
【請求項６】
前記第１及び第２の平らな側面の少なくとも１つは、該第１及び第２の平らな側面の底縁部から離間して延出する取付ポストを少なくとも１つ備える、請求項１に記載のガイド。
【請求項７】
前記第１及び第２の平らな側面は頂部に垂直であり、その中に挿入されたプラグコネクタが３つの側面を囲うことができるＵ字形のチャネルを形成する、請求項１に記載のガイド。
【請求項８】
前記第１及び第２の平らな側面、並びに、前記ガイドの前記頂部は金属から形成される、請求項１に記載のガイド。
【請求項９】
前記ガイドはプラスチックから形成される、請求項１に記載のガイド。
【請求項１０】
第１及び第２の側面、頂面、底面、前面並びに背面を有するコネクタハウジングであって、該コネクタの前面の正面にある第１の幾何学的な面を貫通して対向する嵌合コネクタに延在することによって、前面でアクセス可能な複数の電気的な接点を収容し、前記第１の幾何学的な面は、第１及び第２の側面、頂部並びに底面に対して垂直であるが第１及び第２の側面、頂部並びに底面を越えて延在しないコネクタハウジングと、
第１及び第２の側面を含むコネクタガイドであって、各側面は頂縁部及び底縁部、並びに、前縁部及び後縁部を有し、前記側面の各々が頂縁部と底縁部との間の第１の高さと、前縁部と後縁部との間の第１の幅とを有し、前記第１及び第２の側面は、第１の離間距離によって互いに離間されるコネクタガイドと、
第１及び第２の側端部、並びに、前縁部及び後縁部を備える頂部であって、平らな頂部第１側端面が前記第１の側面の上縁と結合され、平らな頂部第２側端面が前記第２の側面の上縁と結合される頂部と、
ガイドの一部として形成されたプレスアームであって、前記コネクタガイド内の嵌合コネクタと係合するために、前記プレスアームが前記ガイド頂部の後縁部から延出し、前記コネクタガイドがコネクタ差込口と接触せず、第１の幾何学的な面の前方に位置するプレスアームとを含む、コネクタ組立体。
【請求項１１】
前記プレスアームは前記頂部から垂直に延出し、前記プレスアームはキャッチ部を含み、前記プレスアームは、キャッチ部が頂部の後縁部の後方かつ下方で、前記嵌合コネクタの頂部より上に位置するような角度で延在し、前記嵌合コネクタが前記ガイド内に挿入されると、前記プレスアームは前記キャッチ部を付勢して前記嵌合コネクタに形成された対応する凹部と係合させる、請求項１０に記載のコネクタ組立体。
【請求項１２】
前記キャッチ部材は少なくとも１つのスプリングアームの遠位端に取付けられ、前記スプリングアームは前記頂部から垂直方向に延出し、前記キャッチ部材を付勢して前記嵌合コネクタと係合させる、請求項１０に記載のコネクタ組立体。
【請求項１３】
前記第１の平らな側面に形成され、前記第２の平らな側面に向けて延在する側面ロッキングラッチを含み、プラグコネクタが前記ガイド内にあって前記コネクタ差込口と係合すると、側面ロッキングラッチが対応するプラグコネクタの側面止金と係合する、請求項１０に記載のコネクタ組立体。
【請求項１４】
前記第１の側面は、第１の平らな側面を打抜き、前記第１の側面から前記第２の側面に向けて内方にカンチレバー状に形成されたコネクタ係合タブを含み、嵌合プラグコネクタが前記ガイド内に挿入されると、コネクタ係合タブは、対応する止金を前記ガイドに挿入される嵌合プラグコネクタに嵌合し、これにより、前記嵌合プラグコネクタを前記ガイド内に保持する、請求項１０に記載のコネクタ組立体。
【請求項１５】
前記第１及び第２の平らな側面の少なくとも１つは、第１及び第２の平らな側面の少なくとも１つの底縁部から垂直方向に延出する少なく１つの取付ポストを備える、請求項１０に記載のコネクタ組立体。
【請求項１６】
前記第１及び第２の平らな側面は頂部に垂直であり、コネクタプラグがガイド内にあって前記コネクタ差込口と係合すると、プラグコネクタを３つの側面で囲うことができるＵ字形のチャネルを形成する、請求項１０に記載のコネクタ組立体。
【考案の詳細な説明】
【技術分野】
【０００１】
本考案は、概して、ケーブルコネクタに関し、特に、嵌（かん）合回路基板コネクタと一緒に使用するシールディングケージ又はガイドフレームを必要としない構造を有する回路基板コネクタと嵌合するケーブルコネクタに関する。
【背景技術】
【０００２】
通常はプラグコネクタであるコネクタにケーブルを終端して、次に、そのコネクタを回路基板上に装着されているレセプタクルコネクタと嵌合することによって、回路基板にケーブルを接続する方法が、電子業界において一般的に使用されている。ケーブルを回路基板に装着されているコネクタに接続する場合の周知の問題は、ケーブルの重量及び動きによって、回路基板へのレセプタクルコネクタの実装点が緩み、それにより、信号の経路が切断し、回路基板が故障する傾向があることである。
【０００３】
このことは、レセプタクルコネクタを囲むために回路基板に装着され、プラグ又は類似のコネクタを挿入することができる開口部を画定する大型のガイドフレームを使用することによって防止することができる。しかし、このようなガイドフレームは大きく、回路又は端子を追加するために使用することができる回路基板上の貴重なスペースを占拠してしまう。さらに、このようなガイドフレームは、通常、ダイキャストであり、落とした場合、破損しやすい。
【０００４】
コネクタコンセントの歪（ゆが）みも問題になり、このような歪みは、ケーブルの重量、大きさ及び動きによって発生する場合がある。さらに、コネクタプラグ及びその嵌合するコネクタコンセントが時々相互にずれる恐れがあり、言うまでもないことだが、組立工程が複雑になる場合がある。したがって、広いスペースを占拠しないで、プラグコネクタを相手側コネクタの差込口と整合させ、回路基板に実装されたコネクタに加えられるケーブルによる歪（ひず）みを軽減する装置が望まれる。
【０００５】
さらに、大型のコネクタガイドフレームを使用すると、他の電子部品のために使用することができる回路基板上のスペースを増加させる。そして、さらに、ガイドフレームは対象とするコネクタを包囲して収容することができるように設計されている。
【考案の開示】
【考案が解決しようとする課題】
【０００６】
したがって、本考案は、ガイド部材を使用して上記問題点を解決し、同時に、上記所望の利点を有する解決方法に関するものである。
【課題を解決するための手段】
【０００７】
したがって、本考案の総体的な目的は、プラグコネクタを対向するレセプタクルコネクタ内にガイドし、プラグコネクタのレセプタクルコネクタとの接続を少なくとも部分的に保持する表面実装コネクタ用のガイド組立体を提供することである。
【０００８】
本考案の他の目的は、コネクタプラグを表面実装レセプタクルコネクタと嵌合するようにガイドし、プラグコネクタとレセプタクルコネクタとの間の整列を維持するための整合ガイド部材を提供することである。
【０００９】
本考案の他の目的は、回路基板や他の基板に実装されるとともに、回路基板上の導電経路をプラグコネクタが嵌合される電機接触部に電気的に接続するレセプタクルコネクタ、及び、該レセプタクルコネクタと嵌合するようにプラグコネクタを整合してガイドし、レセプタクルコネクタの歪みを軽減するガイド部材を有する電機コネクタ組立体を提供することである。
【００１０】
本考案の更に他の目的は、レセプタクルコネクタとともにガイドフレームを使用する必要がないようにする表面実装レセプタクルコネクタ用のガイド部材を提供することであって、該ガイド部材は導電性材料から形成され、レセプタクルコネクタの嵌合端に近接して回路基板に取付けられる中空通路を形成し、前記ガイド部材はプラグコネクタと摩擦結合する手段を含み、前記ガイド部材は、さらに、ガイド部材からレセプタクル部材に向けて延在して、ガイド部材と該ガイド部材に挿入されたプラグコネクタとの間に接触点を画定する保持タブを含むものである。
【００１１】
本考案のさらにもう１つの目的は、上記レセプタクルコネクタ及びガイド部材と一緒に使用するためのプラグコネクタを提供することである。プラグコネクタは、レセプタクルコネクタ内の対応するスロット内に入る前方に突出している嵌合ブレードを備える嵌合面を含む。このプラグコネクタは、さらに、プラグコネクタ嵌合面の上及び前方に延在する少なくとも１つの突出タブを含む。このタブは、その内部にガイド部材の対応する突起（ｐｒｏｎｇ）又はタブを収容するための凹部、及びそれと嵌合した場合に、レセプタクルコネクタのハウジング上に延在するプラグコネクタタブを有する。
【００１２】
本考案の更に他の目的は、表面実装、垂直方向端型のレセプタクルコネクタ用のガイド部材を提供することであって、該ガイド部材は、金属板のようなレセプタクルコネクタの嵌合面に向いた開放通路を形成する導電性材料から形成されたガイド部を含み、前記ガイド部材は、プラグコネクタの対向部と係合する係合部を含むものである。
【００１３】
本考案は、回路基板実装コネクタにコネクタプラグを導くガイドを含むという主な特徴を有する構造によって、これらや他の目的及び特徴を達成する。好ましい実施の形態におけるコネクタガイドは、Ｕ字形のガイド部材であって、回路基板又は類似の基板に実装される際に反転され、レセプタクルコネクタの前方に離間して位置決めされるガイド部材を含んでいる。プラグコネクタはガイド部材に挿入され、該ガイド部材はプラグコネクタのプラグ部を方向付けてレセプタクルコネクタと整合させる。
【００１４】
好ましい実施の形態において、Ｕ字形のガイド部材は、平板状の天板に対して直交する方向に延在する２つの対向する平板状の側板を有する。側板は、ガイド部材から打抜き成形され、プラグコネクタがガイド部材に挿入されたときにプラグコネクタのハウジングと摩擦接触するようにガイド部材の内方に向けて突出する１つ以上のタブを含んでいる。これらのタブがガイド部材の内方に突出する距離は、プラグコネクタがガイド部材の中心に向けることによって整合機能を発揮する。プラグコネクタがガイド部材及びレセプタクルコネクタに挿入されたとき、これらのタブはプラグコネクタの側面に接触し、挿入の動きを遅くする。
【００１５】
ガイド部材は、好ましくはその天板から延在するスプリングアームの形状をした延出部を含む。スプリングアームは、ガイドとレセプタクルコネクタとの間のスペース内に延出する、すなわち、レセプタクルコネクタの上方にわずかに延出する。スプリングアームの自由端は、プラグコネクタの上部に形成されたスロット又は通路と係合し、プラグコネクタがレセプタクルコネクタに適切に挿入されて嵌合されたことを示す触知手段を提供する止金部を画定するように形成される。
【００１６】
他の実施の形態において、ガイド部材は垂直のレセプタクルコネクタと関連して垂直に方向付けをするために使用される。この実施の形態は、全体的にＵ字の形状を取り、（レセプタクルコネクタの側面の１つに沿って垂直に延在する）天板は、該天板から打抜き形成され、天板の境界内に存するスプリングアームを備える。他の垂直な実施の形態において、ガイドはレセプタクルコネクタの嵌合領域の上方に延在し、プラグコネクタが挿入される中空通路を画定する。
【００１７】
本考案のこれら及びその他の目的並びに特徴及び効果は、以下の詳細な説明の考察によって明白に理解される。
【００１８】
この考案は、その目的及び効果とともに、特徴を示す要素がふさわしい参照符号で特定されている添付の図面と関連付けて以下の説明を参照することによって、最もよく理解される。
【考案を実施するための最良の形態】
【００１９】
図１は、回路基板又は他の基板４の導電トレース６とケーブル１０１内の導電体との間で、電気信号を交換するために使用する電子組立体２の分解図である。図１の場合には、電子組立体２は、集積回路、抵抗、コンデンサ、インダクタ等のような電子構成要素を実装することができる回路基板４を含む。周知のように、回路基板に実装されている電子構成要素は、そのうちの少なくともいくつかは、基板４の少なくとも表面上に位置する１つ又は複数の導電トレース６によって相互に接続している。電気信号は、基板４に実装されていて、対向するケーブルコネクタと嵌合しているレセプタクルコネクタ８によって、導電トレース６を通して送信することができる。
【００２０】
図１は、装着ポスト、ねじ又ははんだによって、図の所定位置で回路基板４に取付けられているレセプタクルコネクタ８を示す。これらはすべて当業者であれば周知のものである。レセプタクルコネクタ８は、２つの対向する側面１０、１２、頂面１４、底面１５、前面１６及び背面１８を有する。レセプタクルコネクタ８は、それぞれが回路基板４上の対応する導電トレース６に電気的に結合しているいくつかの電気的前面からアクセスすることができる接点２０の間隔を維持するように組立てられ、配置されている。
【００２１】
レセプタクルコネクタ８内の前面１６からアクセスすることができる接点２０の電気的及び機械的接続は、プラグタイプの嵌合コネクタ１００を延長して、レセプタクルコネクタ８と接触させることによって行うことができる。プラグコネクタ１００は、レセプタクルコネクタの接点２０と嵌合するそれ自身の一組の導電性接点を有し、プラグコネクタは、レセプタクルコネクタ８の前方の、該レセプタクルコネクタから離れている位置で回路基板に実装されているガイド部材、すなわち、シェル２４によって少なくとも一部は所定位置に案内される。好ましい実施形態の場合には、ガイド部材２４は、ほぼＵ字形をしていて、回路基板４に設置されるとき反転され、フード又はシールドとして形成されている。ガイド部材２４は、プラグコネクタ１００が延在して、嵌合レセプタクルコネクタ８と係合することができる回路基板４とその間に中空チャネル８０を形成する。
【００２２】
図１に示されるように、コネクタガイド部材２４は、少なくとも２つの平らな側面２６及び２８を含むことが好ましい。１つの平らな側面２６は、頂縁部３０、底縁部３２を有し、第２の側面２８も頂縁部３４及び底縁部３６を有する。平らな各側面２６及び２８は、さらに、前縁部及び後縁部を含む。第１の側面２６は、前縁部３８及び後縁部４２を有する。第２の側面２８は、前縁部４０及び後縁部４４を有する。２つの装着ポスト７０（図４）は、側面の底面に沿ってガイド部材内に形成することが好ましく、これらのポストは円筒形であってもよいし、ガイド部材自身の一部として打抜くこともできる。その構造がどうであれ、ポスト７０は、側面２６及び２８から下方に延在し、回路基板４内に形成されている装着孔（あな）部２５内に収容される。ポストは、回路基板４の接地回路に接続するとともに、ガイド部材を回路基板４上の所定位置にはんだ付するために使用することができる。
【００２３】
図７に示されるように、ガイド部材の対向する第１及び第２の側面２６及び２８は、頂縁部と底縁部との間にほぼ等しい高さ４６を有し、各側面の前縁部と後縁部との間にほぼ等しい幅４８を有することが好ましい。図１に示されるように、側面２６及び２８は、ほぼ直立していて、平らな頂部５２に対してほぼ直角に延在する。図１〜９に示されるガイド部材２４が水平な実施形態は、１枚のシートメタルから打抜かれているが、本考案の目的のために、頂部５２、２つの側面２６及び２８は、また、共通の縁部のところで相互に結合することもできる。頂部５２は、図１の前部から見た場合にその右に示す第１の側縁部５４を有し、その左に示す第２の側縁部５６を有する。頂部５２も、前縁部５８及び後縁部６０を有する。
【００２４】
重要なことだが、ガイド部材２４は、後方に延在するタブ又はスプリングアーム６４の形をしているガイド部材の延長部が形成されるパターン中に比較的硬い金属から打抜かれる。図においては、ガイド部材は、カンチレバー状に延在し、図７に示されるように、アーム６４内にバイアス又はプリロードを生成する若干下向きの角度θで形成することが好ましい。このバイアスは、スプリングアーム６４の遠い方の端部の近くに位置する隆起部又はキャッチ６２で示されるプラグ係合部を押して、プラグコネクタの対応する部分内に形成されている対応するスロット又は凹部１０２と係合させる。この構造は、ガイド部材２４内及びレセプタクルコネクタと係合する場所で、プラグコネクタの適切な位置を確保するために使用されてもよい。さらに、プラグコネクタの上部のフランジ上に若干下向きの力を働かせてもよい。
【００２５】
図２は、レセプタクルコネクタ８及びコネクタプラグに対するガイド部材２４の相対的位置の後部からの斜視図である。図２に示されるように、ガイド部材２４は回路基板４に装着されていて、そのため、ガイド部材２４は、レセプタクルコネクタから離れて位置する。すなわち、レセプタクルコネクタ８と接触していないで、該レセプタクルコネクタ８の嵌合面１６の前に位置する。図２は、また、回路基板４上の接続トレース６及びレセプタクルコネクタ８の電気的な接点２０への接続を示す。図２は、また、打抜きによって側面プレート２８内に形成されている側部ロッキングラッチ、すなわち、係合タブ５３の存在及び位置も示す。これらの係合タブ５３は、内側、すなわち、ガイド部材２４のチャネル８０の内部に向って延在し、これらのタブは、プラグ１００がガイド部材２４内に挿入され、レセプタクルコネクタ８と係合した場合、プラグコネクタ１００の側壁部１１０と摩擦によって接触するような大きさ及び形状を有し、そのように配置されている。図１に示されるように、プラグコネクタは、ガイド部材の係合タブ５５がガイド部材２４内に位置する適所でプラグコネクタを確保するために延在するその側壁部内に開口部５７を設けることができる。
【００２６】
図３は、回路基板４、レセプタクルコネクタ８の後部１８を含む電子組立体の後部斜視図である。この後部１８の接点２０は、所定位置に設置され、ラッチされるプラグコネクタ１００によって、基板トレース６とプラグコネクタワイヤ１０１との間に電気接続を確立する。図３の場合には、プラグコネクタ１００は、スプリングアームキャッチ６２がプラグコネクタ１００の頂部内のスロット１０２と係合するまで、ガイド部材２４を貫通して延在する。図３に示されるように、このキャッチ部６２は、遠い方の端部、すなわち、スプリングアーム６４がガイド部材２４の頂部５２の後縁部６０から離れる方向に延在する点から最も遠い端部の近くに位置する。さらに、キャッチ部６２は、プラグコネクタと対向するレセプタクルコネクタとの間の接触を維持する適切な圧力を確保するために、ブレードを嵌合する回路カードと接触するように整合されてもよい。
【００２７】
当業者であれば、スプリングアーム６４の長さはプラグコネクタスロット１０２を備えたキャッチ６２を機械的に結合を可能にするように選択されることが分かるであろう。図４は、ガイド部材２４及び該ガイド部材２４内に挿入する前のコネクタ１００の相対的位置の前部斜視図である。図４は、図面を見やすくするために回路基板４は図示していない。この図において、コネクタプラグ１００が、該コネクタ１００の本体内に切除、成形又は他の方法で形成され、コネクタプラグ（図４に図示せず）と完全に係合した場合に、キャッチ６２を受入れるように位置しているコネクタラッチスロット１０２を含むことをはっきりと示す。図を見れば、プラグコネクタが、該プラグコネクタ１００の前部係合面１２１から外側に延在する縁部カード１２０を含むことが分かる。該縁部カード１２０は、プラグコネクタをレセプタクルコネクタ内に挿入した場合に、レセプタクルコネクタの接点２０と嵌合するために、その上に配置されている複数の導電トレース１２５を有する。プラグコネクタハウジングは、また、嵌合面１２１から前方に、縁部カード１２０上に延在する延長部、すなわち、フランジ１３０を含むことができる。このフランジ１３０は、縁部カードの全幅に対して横方向に延在していて、縁部カードが引抜かれるのを防止する働きをする。これは、また、凹部１０２に対する支持となり、レセプタクルコネクタ上に汚染物質の進入を禁止する手段の提供するためにレセプタクルコネクタの頂部上に延在する。
【００２８】
図４は、また、ガイド部材２４の１つの側面２８内に形成されている側面ロッキングラッチ５５も示す。この好ましい実施形態の場合には、側面ロッキングラッチ５５は、対向する側面２６の方に延在し、嵌合プラグコネクタ１００の対応する側面に形成されている対応する側面止金５７と係合する側面に小さなタブが形成されるように、コネクタ整合ガイドが形成される金属を単に打抜くことによって形成される。コネクタプラグ１００がレセプタクルコネクタと完全に係合すると、側面ロッキングラッチ５５（実際には、ガイド部材２４の両方の側面２６、２８上に形成されている）が、対応する止金５７と係合し、コネクタプラグ１００をレセプタクルコネクタ８に「ラッチ」することは当業者であれば理解することができる。このラッチが、レセプタクルコネクタ８によってではなくガイド部材２４により行われるということは、ケーブルの歪みは、レセプタクルコネクタ８によってではなく、ガイド部材２４により吸収されることを意味する。さらに、プラグコネクタ１００及びレセプタクルコネクタ８内の導体の整合ずれは、ガイド部材２４によるプラグ−レセプタクル整合によって最小限度まで低減する。これらの２つの側面ラッチ５５及び上部プレスアームは、プラグコネクタ１００と係合する３つの方法を形成する。
【００２９】
図５は、ガイド部材２４内に完全に挿入されたコネクタ１００の後部斜視図である。この図の場合、ガイド部材キャッチ６２は、コネクタ１００内のスロット１０２と相互ロック係合している。スプリングアーム６４内の曲がり又は「バイアス」によって、プラグコネクタ１００がガイド部材２４内に完全に挿入された場合、キャッチ６２は、係合スロット１０２内に押込まれる。同様に、側面ロッキングラッチ５５（一方の側面上に示す）も内側に曲がるので、プラグコネクタ１００が有意の引出す力が加わらなくても除去されるのを防止するために、プラグコネクタ凹部５７内に延在することができる。プラグコネクタ１００がこのようにレセプタクルコネクタ８と接続されると、ガイド部材２４も歪みを除去し、導体が整合する。
【００３０】
図６は、コネクタ整合ガイド２４内に設置した場合のコネクタ１００の部分断面図である。この図の場合、プラグ係合ラッチ６２の相互ロック係合を、図面の右側にはっきり示す。下方にバイアスされていて、プラグコネクタ１００のスロット１０２内に入っている係合ラッチ６２は、コネクタ１００をガイド部材２４内に整合して保持する働きをすることを理解することができるだろう。また、この図は、コネクタガイドの側面２６及び２８の底縁部３２と接続していて、回路基板又は他の基板４に整合ガイド２４を電気的かつ機械的に装着するために使用される２つの装着ポスト７０も示す。
【００３１】
図７は、ガイド部材２４の側面図である。この図は、側壁が図に示される側面２８の上縁部３２と底縁部３６との間の距離である高さ４６を備える概略長方形であることを示す。同様に、この図は、幅４８が前縁部４０と後縁部４４との間の距離であることを示す。さらに、装着ポスト７０は、ガイド部材２４の頂部５２として示されている。さらに、図７は、頂面５２の平面とプレス、すなわち、スプリングアーム６４との間の、下方へ向いた（鋭角である）角度θを示す。スプリングアーム６４は、キャッチ６２が嵌合レセプタクルコネクタをプラグコネクタ１００との嵌合を保持するためのプラグコネクタスロット１０２と接して係合するのを確実にするために、下方に付勢されている。
【００３２】
図８は、ガイド部材２４の上面図を示す。特に、この図は、ガイド部材２４の両方の側面２６及び２８に打抜かれた側面ロッキングラッチ５２の構造を示す。また、この図は、スプリングアーム６４の両方の側面２６及び２８に、スプリングアーム６４に付加的な可撓（とう）性を提供する２つの切欠き５７及び５９を示す。最後に、図９は、ガイド部材２４の背面図を示す。この図には、ロッキングクラッチ５５の拡張部分が、２つの対向する側面２６及び２８内で、実質的には頂部５２の下にあるＵ字形のチャネル８０に延在しているのがはっきりと見える。さらに、この図は、側面２８及び２６の底縁部３６及び３２からそれぞれ遠ざかるように延在する装着ポスト７０を示す。
【００３３】
ガイド部材２４は電気的かつ機械的にレセプタクルコネクタ８から離間して接続されていないけれども、Ｕ字形のガイド部材２４が回路基板４に取付けられると、ガイド部材２４がプラグコネクタを囲い、正しい場所にロックすることができ、その結果、ケーブルの歪みを吸収し、電気コンタクト整合を供給することは、当業者に明白である。キャッチ６２、及び、他の実施形態において側面係合タブ５５は、ガイド部材２４内の正しい場所にプラグコネクタを保持する。
【００３４】
好ましい実施形態において、ガイド部材は、比較的硬い金属から打抜かれている。もう１つの実施形態では、任意の金属被覆加工を備える前述の形状を含むための成形プラスチックを含んでいてもよい。本考案がこの趣旨から外れずに、他の特定の形式で具体化されてもよいことが理解されよう。例えば、ガイド部材２４は概略長方形で示されているが、代替及び同等の実施形態では、非長方形状の天面の使用を含む。同様に、側面は図のような長方形である必要はない。図に示されるスプリングアーム６４もまた概略長方形である。代替及び同等の実施形態では、１つ又は複数のカンチレバー状のバー又はロッドから成るスプリングアームを含む。
【００３５】
図に示される側面ロッキングラッチは、正しい場所に１つの縁を残して、ガイド部材の側面の局所的な部分を内側に打抜いて形成されているので、打抜かれた部分は図のように内側に曲げられる。代替及び同等の実施形態では、コネクタガイドに設置され、プラグコネクタと係合される場合に、シートメタル及び側面を貫通してコネクタ１００内へ到達するねじを使用してもよい。
【００３６】
図１０及び１１は、本考案の原理によって組立てた回路基板上で垂直に使用するためのコネクタガイド組立体の他の実施形態２００である。これらの図に示されるように、レセプタクルコネクタ２０１は、回路基板２０２に対して垂直に面実装される。コネクタ２０１は、絶縁性ハウジング２０４を有し、複数の導電性端子２０６を支持する。該端子２０６は、回路基板２０２の表面上のパッド又はトレースにはんだ付されるテール部２０８を含む。導電性ガイド部材２１０は、コネクタと一緒に使用するためのものであり、そこから横方向に延在する２つの側部プレート２１３を有する頂部プレート２１２を含むほぼＵ字形をしていることが分かる。これら３つのプレートは、協働して、レセプタクルコネクタ２０１の周囲及び上を部分的に延在するチャネル２１５を画定する。ガイド部材の頂部プレート２１２は、スロットを含み、キャッチ部材２２０が延在する凹部２１８を有する。このキャッチ部材は、第１の実施形態と同じ方法で、プラグコネクタハウジング２５０上のスロット（図示せず）と係合することが好ましい曲げ部２２１を有する。
【００３７】
図１２及び１３は、レセプタクルコネクタ３０２と部分的に接し、回路基板（図示せず）に取付けられる垂直に方向付けられるガイド部材３００の他の実施形態を示す。レセプタクルコネクタ３０２は、既知の方法で端子テール部３０４をはんだ付することによって回路基板に取付けられる。ガイド部材は、プラグコネクタチャネルを提供するように協働する４つの壁を有する。コネクタハウジング３０５は、該コネクタハウジング３０５の側端部に形成され、ガイド部材３００の側端部に形成された開口３１０に収容される一対の突起３０７を有する。また、ガイド部材は、回路基板の穴と係合し、ガイド部材を基板と固定するための取付脚部３１１を備える。ガイド部材３００は、レセプタクルコネクタの嵌合面の上方に離間して支持される中空通路３１５を協働して画定する複数の相互に連結した壁３２０及び３２１を備える。側壁３２１の１つ（好ましくは、ガイド部材の端壁）は、コネクタプラグ上のポスト又はタブ、すなわち、コネクタプラグ（図示せず）上に形成されたラッチタブと係合するために形成されたスロット３３０を備えていてもよい。さらに、レセプタクルコネクタ３０２への適切な嵌合方向に対してプラグコネクタを方向付けるために、ガイド部材はプラグコネクタの隆起した部分を収容するために使われる図に示されるようなステップ部分を備えていてもよい。本実施形態において、ガイド部材の後壁部は、図４〜１０に示されるような同様の構造のプレスアームを含む。
【００３８】
前述の実施形態では回路基板４に実装されたレセプタクルコネクタ８について記述し、雌コネクタとしてのレセプタクルコネクタを描いたのに対し、代替及び同等の実施形態は、回路基板に雄型コネクタプラグを実装し、ケーブル１０１の端部に雌コネクタを使用することを含む。したがって、「レセプタクルコネクタ」という用語は、両方のジェンダー、すなわち、雄と雌のコネクタを含むことが理解され、「プラグコネクタ」という用語は、基板上で使用される対向するジェンダー、すなわち、雌と雄の嵌合コネクタを含むことが理解されよう。
【００３９】
したがって、実施例と実施形態は、すべての点において例示的であり限定的でないと考えられるべきである。本考案は、本明細書に示した詳細に限定されない。
【図面の簡単な説明】
【００４０】
【図１】プラグコネクタをレセプタクルコネクタと整合するように、本考案の原理によって組立てられたコネクタガイド部材を使用するエレクトロニクス組立体の分解斜視図である。
【図２】図１のレセプタクルコネクタ及びガイド部材を後方から見た斜視図である。
【図３】図２と同じ図面であるが、ガイド部材に挿入され、レセプタクルコネクタ及びガイド部材の両方と係合しているプラグコネクタを示す。
【図４】プラグコネクタ及びガイド部材の構造を示すコネクタガイド部材を前部から見た拡大斜視図である。
【図５】ガイド部材内に挿入されたプラグコネクタを後部から見た拡大斜視図である。
【図６】６−６線に沿って切断した図５の断面図である。
【図７】図１のガイド部材の側面立面図である。
【図８】図７のガイド部材の平面図である。
【図９】図７のガイド部材の後部立面図である。
【図１０】垂直面実装レセプタクルコネクタと一緒に使用する、垂直ガイド部材の他の実施形態の斜視図である。
【図１１】図１０と同じ図面であるが、その対向する側面から見たものである。
【図１２】垂直に実装されたレセプタクルコネクタ及び垂直のガイド部材の他の実施形態の分解組立図である。
【図１３】図１２と同じ図面であるが、レセプタクルコネクタにガイド部材を被せた図を示す。
【図１】
0003142283.tif 000003
【図２】
0003142283.tif 000004
【図３】
0003142283.tif 000005
【図４】
0003142283.tif 000006
【図５】
0003142283.tif 000007
【図６】
0003142283.tif 000008
【図７】
0003142283.tif 000009
【図８】
0003142283.tif 000010
【図９】
0003142283.tif 000011
【図１０】
0003142283.tif 000012
【図１１】
0003142283.tif 000013
【図１２】
0003142283.tif 000014
【図１３】
0003142283.tif 000015